(57)【特許請求の範囲】
【請求項１】
第１空間（１６）と第２空間（１７）とに仕切る隔壁（６）を有するベース（２）と、前記ベース（２）の前記第１空間（１６）側を区画するケース（４）と、前記ベース（２）の第２空間（１７）側を区画するカバー（３）とを備えた発音体用筺体構造において、
発音体（５）の発音部から前記隔壁（６）の前記第２空間（１７）側に突出するように前記発音体（５）の外周部を取り付ける枠体（７）を前記隔壁（６）に設け、
前記枠体（７）の外周面の外方に溝（９）を介して遮壁（８）を設け、
前記遮壁（８）の内側であって前記枠体（７）及び前記遮壁（８）との間に空隙が生じる位置に遮板（１０）を設けることを特徴とする発音体用筺体構造。
【請求項２】
前記遮板（１０）の前記枠体（７）と対向する外周縁面に遮堆（１１）を設けることを特徴とする請求項１に記載の発音体用筺体構造。
【請求項３】
前記遮壁（８）は、切目（１５）を有することを特徴とする請求項１又は２に記載の発音体用筺体構造。
【発明の詳細な説明】
【技術分野】
【０００１】
本発明は、車両等に搭載される発音体を収納する筺体の筺体構造に関する。
【背景技術】
【０００２】
車両の室外に配置される発音体の筺体は、雨水、洗浄水、雪解け水、薬品、油等に曝され、それらが発音体の筺体に不可欠な開口部から筺体内に浸入して発音体に到達することがある。そのようなときには、発音体の発音部が被水して音質不良を起こしたり損傷を受けたりする虞がある。
【０００３】
このような問題に対応するものとして特許文献１が開示されている。
【０００４】
特許文献１は、発音手段から発せられた音を通過させる複数の放音孔を開口させた放音部を有し、各放音孔の内面側の開口部分を拡径させて放音孔に進入した水を集水して蓄え得る貯水部をそれぞれ設けたものである。
【先行技術文献】
【特許文献】
【０００５】
【特許文献１】特開２００６−１０１２８７号公報
【発明の概要】
【発明が解決しようとする課題】
【０００６】
しかしながら、特許文献１の技術によれば、放音部の正面からの水流は貯水部で受け止めることができるが、放音部に対して斜め方向からの水流に対しては貯水部が有効に作用せず、水流が発音体に衝突してしまい、発音体が破損する虞があった。
【０００７】
本発明は、上述した問題に鑑みてなされたものであり、水の付着による発音体の破損や機能障害を防止することができる発音体用筺体構造を提供することを目的とする。
【課題を解決するための手段】
【０００８】
上記目的を達成するためになされた請求項１に記載の発明は、第１空間（１６）と第２空間（１７）とに仕切る隔壁（６）を有するベース（２）と、ベース（２）の第１空間（１６）側を区画するケース（４）と、ベース（２）の第２空間（１７）側を区画するカバー（３）とを備えた発音体用筺体構造において、発音体（５）の発音部から隔壁（６）の第２空間（１７）側に突出するように発音体（５）の外周部を取り付ける枠体（７）を隔壁（６）に設け、枠体（７）の外周面の外方に溝（９）を介して遮壁（８）を設け、遮壁（８）の内側であって枠体（７）及び遮壁（８）との間に空隙が生じる位置に遮板（１０）を設けることを特徴とする。
【０００９】
この構成によれば、発音体（５）の発音部から隔壁（６）の第２空間（１７）側に突出するように発音体（５）の外周部を取り付ける枠体（７）を隔壁（６）に設け、枠体（７）の外周面の外方に溝（９）を介して遮壁（８）を設け、遮壁（８）の内側であって枠体（７）及び遮壁（８）との間に空隙が生じる位置に遮板（１０）を設けたので、浸入物は直接発音体（５）に衝突することがないばかりか、遮壁（８）を伝う浸入物も発音体（５）をかわして導かれる。そのため、発音体（５）は浸入物の付着を回避することができ、発音体（５）の音質不良や損傷を防止することができるという優れた効果を奏する。
【００１０】
請求項２に記載の発明は、遮板（１０）の枠体（７）と対向する外周縁面に遮堆（１１）を設けることを特徴とする。
【００１１】
この構成によれば、浸入物の発音体（５）への付着を効果的に防止できる。
【００１２】
請求項３に記載の発明は、遮壁（８）が、切目（１５）を有することを特徴とする。
【００１３】
この構成によれば、枠体（７）の外周面に浸入した浸入物を効果的に排出することができる。
【図面の簡単な説明】
【００１４】
【図１】本発明を実施する筺体の正面図（ａ）及び下面図（ｂ）である。
【図２】図１（ａ）におけるＡ−Ａ縦断面図である。
【図３】図１（ａ）においてカバー３を取外した場合の正面図である。
【図４】カバー３の裏面の斜視図である。
【発明を実施するための形態】
【００１５】
以下、本発明を具体化した一実施形態について、図面を参照しつつ説明する。
【００１６】
発音体５を搭載する筺体１は、図２に示すように、内側の中間部に隔壁６を有する樹脂製のベース２と、ベース２の一方の開口端を気密に封じる樹脂製のケース４と、ベース２の他方の開口端を防滴に封じる樹脂製のカバー３とによって構成される。
【００１７】
図２に示すように、隔壁６の上方に偏芯して円形の枠体７が隔壁６の第２空間１７側に突出して設けられる。枠体７の内側には隔壁６がなく、空間となっている。枠体７の第１空間１６側の面には環状溝が刻設され、その環状溝に発音体５の外周凸部が嵌入することにより、発音体５は枠体７に取り付けられる。すなわち、枠体７は発音体５の振動板等の発音部から突出している。
【００１８】
枠体７の外周面の外方には、枠体７と同芯の円形で隔壁６の第２空間１７側の面に立設された遮壁８が、枠体７の外周面との間に溝９を形成して設けられている。遮壁８の下半周部分には、遮壁８を隔壁６に達するまで縦に切り込んで形成した切目１５が複数設けられている。
【００１９】
カバー３は、図１（ａ）にその表面が、図２にその断面が、図４にその裏面がそれぞれ示されている。これらの図面から理解できるように、カバー３はその表面から一段下がった面に、この面と同心円及び放射状のリブを有する。カバー３の外周端面に設けた取付座１３が、ベース２の外周端面に設けた取付具１４と係脱することにより、カバー３はベース２に着脱可能となっている。図４に示すように、取り外されたカバー３の裏面には、枠体７と略同径の遮板１０が、遮壁８と同芯になるような位置に配設されている。そして、カバー３がベース２に取り付けられたとき、図２に示すように、遮板１０は遮壁８の内部空間に、遮壁８の先端と遮板１０の裏面とが略同じ高さとなるように入り込み、且つ、遮板１０の外周端面と遮壁８の内周面との間に第１空隙１８が形成されるようにカバー３の裏面に設けられている。
【００２０】
図４に示すように、遮板１０の上半外周縁面には遮堆１１が突設されている。図２に示すように、遮堆１１の端面と枠体７とは同径の円弧で第２間隙１９をもって対向している。
【００２１】
カバー３の表面の段差部分には、通気孔１２が穿孔されている。また、ベース２の外周面のカバー３側の縁には、排水口１２がカバー３の外周面を切り込んだように設けられている。さらに、取付座１３と取付具１４との間には間隙がある。これらの孔や間隙は、発音体５から発する音を外部へ放出するために必要なものである。しかしながら、これらの孔や間隙から雨水、洗浄水、雪解け水、薬品、油等が浸入するのである。
【００２２】
これらの浸入物は、遮壁８や遮板１０に遮られて直接的に発音体５に到達することはない。しかしながら、遮壁８の壁面を這い伝って発音体５に迫る虞がある。
【００２３】
そのようなときであっても、浸入物は枠体７の外周面及び溝９で留まる。そして、筺体１が図示の縦方向で搭載される場合、浸入物は枠体７の外周面や溝９の谷底面を這い伝って遮壁８の切目１５から遮壁８の外周面の外方へ流出し、隔壁６の第２空間１７側表面を通って排水口１２から排出される。
【００２４】
遮板１０と枠体７との間の間隙は、音の放出を効果的にする上で、可及的に広くする必要があるものであるが、遮堆１１は、その間隙のなかで浸入物の防御に最も必要とする部分に設けられている。すなわち、取付座１３と取付具１４との間の間隙から浸入物が浸入することが多いので、それに対抗するため、遮堆１１を遮板１０の上半周の縁部に設けて第２空隙１９を形成させるようにした。
【００２５】
以上詳述したことから明らかなように、本実施形態の発音体用筺体構造によれば、発音体５の発音部から隔壁６の第２空間１７側に突出するように発音体５の外周部を取り付ける枠体７を隔壁６に設け、枠体７の外周面の外方に溝９を介して遮壁８を設け、遮壁８の内側であって枠体７及び遮壁８との間に空隙が生じる位置に遮板１０を設けたので、浸入物は直接発音体５に衝突することがないばかりか、遮壁８を伝う浸入物も発音体５をかわして導かれる。そのため、発音体５は浸入物の付着を回避することができ、発音体５の音質不良や損傷を防止することができるという優れた効果を奏する。
【００２６】
なお、本発明は、当業者の知識に基づいて様々な変更、修正、改良等を加えた態様において実施され得るものを含む。また、前記変更等を加えた実施態様が、本発明の趣旨を逸脱しない限りいずれも本発明の範囲内に含まれるものであることは言うまでもない。
【００２７】
例えば、上記実施形態では、浸入物の流動を容易にするため、隔壁６の第２空間１７側の面と溝９の谷底面とは同じ高さの面となるように配置したが、この両面が相互に異なる高さを有するように配置してもよい。特に、枠体７の突出量が十分ではなく、溝９の谷底面から視た枠体７の外周面の高さが比較的低い場合には、溝９の谷底面を隔壁６の第２空間１７側の面より低くすることが好ましい。
【符号の説明】
【００２８】
１    筺体
２    ベース
３    カバー
４    ケース
５    発音体
６    隔壁
７    枠体
８    遮壁
９    溝
１０    遮板
１１    遮堆
１５    切目
１６    第１空間
１７    第２空間
【図１】
0005620415.tif 000002
【図２】
0005620415.tif 000003
【図３】
0005620415.tif 000004
【図４】
0005620415.tif 000005